(57)【要約】【課題】乾燥路面での操縦安定性能および湿潤路面での操縦安定性能を改善する。【解決手段】センター陸部３１の陸部幅Ｗｃｃと外側ミドル陸部３２の陸部幅ＷｃｏとがＷｃｏ＜Ｗｃｃの関係を満たし、かつ外側ミドル陸部３２および外側ショルダー陸部３４の接地面１０が外側ショルダー溝２３を跨ぐ基準プロファイルＰＲｓｏに対してタイヤ径方向外側に共に突出して形成され、センター陸部３１の接地面１０が基準プロファイルＰＲｃｃに対してタイヤ径方向外側に突出して形成され、内側ミドル陸部３３の接地面１０が基準プロファイルＰＲｃｉに対してタイヤ径方向外側に突出して形成されて、外側ミドル陸部３２および外側ショルダー陸部３４の突出量Ｈｓｏに対し、センター陸部３１の突出量Ｈｃｃと内側ミドル陸部３３の突出量Ｈｃｉとが、Ｈｃｃ＜Ｈｓｏ、Ｈｃｉ＜Ｈｓｏの関係を満たす。【選択図】図３
2020001660.tif 000002
【特許請求の範囲】
【請求項１】
トレッド部の接地面にタイヤ周方向に延びる４本の周方向溝によりタイヤ幅方向に５本の陸部が区画形成されることで、タイヤ赤道面上のセンター陸部と、前記センター陸部の車両に対する装着方向におけるタイヤ幅方向の第一側の第一側ミドル陸部と、前記第一側ミドル陸部の第一側の第一側ショルダー陸部と、前記センター陸部の第一側とはタイヤ幅方向の反対側の第二側の第二側ミドル陸部と、前記第二側ミドル陸部の第二側の第二側ショルダー陸部と、を有してなり、前記第一側ミドル陸部と前記第一側ショルダー陸部との間の前記周方向溝が、他の３本の周方向溝よりも溝幅が細い周方向細溝として形成された空気入りタイヤであって、
前記センター陸部の陸部幅Ｗｃｃと前記第一側ミドル陸部の陸部幅ＷｃｏとがＷｃｏ＜Ｗｃｃの関係を満たし、かつ前記第一側ミドル陸部および前記第一側ショルダー陸部の接地面が前記周方向細溝を跨ぐ基準プロファイルに対してタイヤ径方向外側に突出して形成され、前記センター陸部の接地面が基準プロファイルに対してタイヤ径方向外側に共に突出して形成され、前記第二側ミドル陸部の接地面が基準プロファイルに対してタイヤ径方向外側に突出して形成されて、前記第一側ミドル陸部および前記第一側ショルダー陸部の突出量Ｈｓｏに対し、前記センター陸部の突出量Ｈｃｃと前記第二側ミドル陸部の突出量Ｈｃｉとが、Ｈｃｃ＜Ｈｓｏ、Ｈｃｉ＜Ｈｓｏの関係を満たす空気入りタイヤ。
【請求項２】
前記センター陸部の突出量Ｈｃｃが０．２ｍｍ≦Ｈｃｃ≦０．４ｍｍの範囲である請求項１に記載の空気入りタイヤ。
【請求項３】
前記第一側ミドル陸部および前記第一側ショルダー陸部の突出量Ｈｓｏが０．３ｍｍ≦Ｈｓｏ≦０．６ｍｍの範囲である請求項１または２に記載の空気入りタイヤ。
【請求項４】
前記センター陸部の突出量Ｈｃｃと前記第一側ミドル陸部および前記第一側ショルダー陸部の突出量Ｈｓｏとが１．２≦Ｈｓｏ／Ｈｃｃ≦２．０の関係を満たす請求項１〜３のいずれか１つに記載の空気入りタイヤ。
【請求項５】
前記センター陸部の突出量Ｈｃｃと前記第二側ミドル陸部の突出量Ｈｃｉとが０．９≦Ｈｃｃ／Ｈｃｉ≦１．１の関係を満たす請求項１〜４のいずれか１つに記載の空気入りタイヤ。
【請求項６】
前記センター陸部の接地面において接地時にタイヤ幅方向の一方の前記周方向溝に一端が連通して他端が前記センター陸部で終端する溝が存在し、前記第一側ミドル陸部の接地面において接地時にタイヤ幅方向外側の前記周方向細溝に一端が連通して他端が前記第一側ミドル陸部で終端する溝が存在し、前記第二側ミドル陸部の接地面において接地時にタイヤ幅方向外側の前記周方向溝に一端が連通して他端が前記第二側ミドル陸部で終端する溝が存在する請求項１〜５のいずれか１つに記載の空気入りタイヤ。
【請求項７】
前記センター陸部の陸部幅Ｗｃｃに対し、前記第一側ミドル陸部の陸部幅Ｗｃｏと、前記第一側ショルダー陸部の陸部幅Ｗｓｏと、前記第二側ミドル陸部の陸部幅Ｗｃｉと、前記第二側ショルダー陸部の陸部幅Ｗｓｉとが０．７≦Ｗｃｏ／Ｗｃｃ≦０．９、１．０≦Ｗｓｏ／Ｗｃｃ≦１．２、０．７≦Ｗｃｉ／Ｗｃｃ≦０．９、０．９≦Ｗｓｉ／Ｗｃｃ≦１．１の関係を満たす請求項１〜６のいずれか１つに記載の空気入りタイヤ。
【請求項８】
前記第二側ショルダー陸部の接地面が基準プロファイルに対してタイヤ径方向外側に突出して形成されており、前記第一側ショルダー陸部の突出量Ｈｓｏと前記第二側ショルダー陸部の突出量Ｈｓｉとが０．９≦Ｈｓｏ／Ｈｓｉ≦１．１の関係を満たす請求項１〜７のいずれか１つに記載の空気入りタイヤ。
【請求項９】
車両に対する装着方向が指定されており、車両外側がタイヤ幅方向の第一側であり、車両内側がタイヤ幅方向の第二側である請求項１〜８のいずれか１つに記載の空気入りタイヤ。
【発明の詳細な説明】
【技術分野】
【０００１】
本発明は、空気入りタイヤに関する。
【背景技術】
【０００２】
乾燥路面での操縦安定性を向上するため、トレッド剛性の確保を狙い、トレッド部の陸部幅を広く設定することが考えられる。しかし、この場合、陸部の幅方向中心の接地圧が低下し、接地領域において陸部のタイヤ周方向の接地長が短くなって、接地長の端部が内側に凹むようになって接地性が悪化する。このため、乾燥路面での操縦安定性能が低下するおそれがある。また、陸部の幅方向中心の接地圧が低下することで、排水性能が低下し、湿潤路面での操縦安定性能も低下するおそれがある。
【０００３】
従来、例えば、特許文献１〜３には、陸部の接地面の幅方向中央を突出するように構成することで、乾燥路面での操縦安定性能や湿潤路面での操縦安定性能の改善を図ることが示されている。
【先行技術文献】
【特許文献】
【０００４】
【特許文献１】特開２０１３−１８９１２１号公報
【特許文献２】特開２０１６−００２８９０号公報
【特許文献３】特開２０１４−１１８１２３号公報
【発明の概要】
【発明が解決しようとする課題】
【０００５】
しかし、近年では、車両の性能向上に伴い、さらなる乾燥路面での操縦安定性能や湿潤路面での操縦安定性能の改善を図ることが望まれている。
【０００６】
本発明は、上記に鑑みてなされたものであって、乾燥路面での操縦安定性能および湿潤路面での操縦安定性能を改善することのできる空気入りタイヤを提供することを目的とする。
【課題を解決するための手段】
【０００７】
上述した課題を解決し、目的を達成するために、本発明の一態様に係る空気入りタイヤは、トレッド部の接地面にタイヤ周方向に延びる４本の周方向溝によりタイヤ幅方向に５本の陸部が区画形成されることで、タイヤ赤道面上のセンター陸部と、前記センター陸部の車両に対する装着方向におけるタイヤ幅方向の第一側の第一側ミドル陸部と、前記第一側ミドル陸部の第一側の第一側ショルダー陸部と、前記センター陸部の第一側とはタイヤ幅方向の反対側の第二側の第二側ミドル陸部と、前記第二側ミドル陸部の第二側の第二側ショルダー陸部と、を有してなり、前記第一側ミドル陸部と前記第一側ショルダー陸部との間の前記周方向溝が、他の３本の周方向溝よりも溝幅が細い周方向細溝として形成された空気入りタイヤであって、前記センター陸部の陸部幅Ｗｃｃと前記第一側ミドル陸部の陸部幅ＷｃｏとがＷｃｏ＜Ｗｃｃの関係を満たし、かつ前記第一側ミドル陸部および前記第一側ショルダー陸部の接地面が前記周方向細溝を跨ぐ基準プロファイルに対してタイヤ径方向外側に突出して形成され、前記センター陸部の接地面が基準プロファイルに対してタイヤ径方向外側に共に突出して形成され、前記第二側ミドル陸部の接地面が基準プロファイルに対してタイヤ径方向外側に突出して形成されて、前記第一側ミドル陸部および前記第一側ショルダー陸部の突出量Ｈｓｏに対し、前記センター陸部の突出量Ｈｃｃと前記第二側ミドル陸部の突出量Ｈｃｉとが、Ｈｃｃ＜Ｈｓｏ、Ｈｃｉ＜Ｈｓｏの関係を満たす。
【０００８】
また、本発明の一態様に係る空気入りタイヤでは、前記センター陸部の突出量Ｈｃｃが０．２ｍｍ≦Ｈｃｃ≦０．４ｍｍの範囲であることが好ましい。
【０００９】
また、本発明の一態様に係る空気入りタイヤでは、前記第一側ミドル陸部および前記第一側ショルダー陸部の突出量Ｈｓｏが０．３ｍｍ≦Ｈｓｏ≦０．６ｍｍの範囲であることが好ましい。
【００１０】
また、本発明の一態様に係る空気入りタイヤでは、前記センター陸部の突出量Ｈｃｃと前記第一側ミドル陸部および前記第一側ショルダー陸部の突出量Ｈｓｏとが１．２≦Ｈｓｏ／Ｈｃｃ≦２．０の関係を満たすことが好ましい。
【００１１】
また、本発明の一態様に係る空気入りタイヤでは、前記センター陸部の突出量Ｈｃｃと前記第二側ミドル陸部の突出量Ｈｃｉとが０．９≦Ｈｃｃ／Ｈｃｉ≦１．１の関係を満たすことが好ましい。
【００１２】
また、本発明の一態様に係る空気入りタイヤでは、前記センター陸部の接地面において接地時にタイヤ幅方向の一方の前記周方向溝に一端が連通して他端が前記センター陸部で終端する溝が存在し、前記第一側ミドル陸部の接地面において接地時にタイヤ幅方向外側の前記周方向細溝に一端が連通して他端が前記第一側ミドル陸部で終端する溝が存在し、前記第二側ミドル陸部の接地面において接地時にタイヤ幅方向外側の前記周方向溝に一端が連通して他端が前記第二側ミドル陸部で終端する溝が存在することが好ましい。
【００１３】
また、本発明の一態様に係る空気入りタイヤでは、前記センター陸部の陸部幅Ｗｃｃに対し、前記第一側ミドル陸部の陸部幅Ｗｃｏと、前記第一側ショルダー陸部の陸部幅Ｗｓｏと、前記第二側ミドル陸部の陸部幅Ｗｃｉと、前記第二側ショルダー陸部の陸部幅Ｗｓｉとが０．７≦Ｗｃｏ／Ｗｃｃ≦０．９、１．０≦Ｗｓｏ／Ｗｃｃ≦１．２、０．７≦Ｗｃｉ／Ｗｃｃ≦０．９、０．９≦Ｗｓｉ／Ｗｃｃ≦１．１の関係を満たすことが好ましい。
【００１４】
また、本発明の一態様に係る空気入りタイヤでは、前記第二側ショルダー陸部の接地面が基準プロファイルに対してタイヤ径方向外側に突出して形成されており、前記第一側ショルダー陸部の突出量Ｈｓｏと前記第二側ショルダー陸部の突出量Ｈｓｉとが０．９≦Ｈｓｏ／Ｈｓｉ≦１．１の関係を満たすことが好ましい。
【００１５】
また、本発明の一態様に係る空気入りタイヤでは、車両に対する装着方向が指定されており、車両外側がタイヤ幅方向の第一側であり、車両内側がタイヤ幅方向の第二側であることが好ましい。
【発明の効果】
【００１６】
本発明によれば、第一側ミドル陸部および第一側ショルダー陸部の接地面が、基準プロファイルよりタイヤ径方向外側に共に突出して形成され、センター陸部および第二側ミドル陸部の接地面も、それぞれ基準プロファイルよりタイヤ径方向外側に突出して形成されていることで、第一側ミドル陸部および第一側ショルダー陸部を含むタイヤ幅方向中央部の接地長、センター陸部および第二側ミドル陸部のそれぞれのタイヤ幅方向中央部の接地長を確保することができる。このため、乾燥路面での操縦安定性能を向上することができる。特に、第一側ミドル陸部と第一側ショルダー陸部との間に周方向細溝が設けられていることで、この周方向細溝の部分で接地長を確保することができる。このため、乾燥路面での操縦安定性能を向上することができる。また、第一側ミドル陸部および第一側ショルダー陸部の接地面が、基準プロファイルよりタイヤ径方向外側に共に突出して形成され、センター陸部および第二側ミドル陸部の接地面も、それぞれ基準プロファイルよりタイヤ径方向外側に突出して形成されていることで、第一側ミドル陸部および第一側ショルダー陸部を含むタイヤ幅方向中央部の接地圧、センター陸部および第二側ミドル陸部のそれぞれのタイヤ幅方向中央部の接地圧を高めることができる。このため、第一側ミドル陸部および第一側ショルダー陸部を含むタイヤ幅方向中央部からタイヤ幅方向両側に向けて除水作用が向上し、センター陸部および第二側ミドル陸部のそれぞれのタイヤ幅方向中央部タイヤ幅方向両側に向けて除水作用が向上して、湿潤路面での操縦安定性能を向上することができる。しかも、本発明によれば、第一側ミドル陸部および第一側ショルダー陸部の突出量Ｈｓｏに対し、センター陸部の突出量Ｈｃｃと第二側ミドル陸部の突出量Ｈｃｉとが、Ｈｃｃ＜Ｈｓｏ、Ｈｃｉ＜Ｈｓｏの関係を満たし、接地領域において他と比較して接地長が減少するタイヤ幅方向外側の第一側ミドル陸部および第一側ショルダー陸部の突出量Ｈｓｏを、そのタイヤ幅方向内側に隣接するセンター陸部の突出量Ｈｃｃや第二側ミドル陸部の突出量Ｈｃｉよりも大きくすることで、第一側ミドル陸部および第一側ショルダー陸部とそのタイヤ幅方向内側との間で急激な接地長の減少を抑制することができ、接地性を良好とし、乾燥路面での操縦安定性能および湿潤路面での操縦安定性能の向上に寄与することができる。この結果、乾燥路面での操縦安定性能および湿潤路面での操縦安定性能を向上することができる。しかも、本発明によれば、センター陸部の陸部幅Ｗｃｃと第一側ミドル陸部の陸部幅ＷｃｏとがＷｃｏ＜Ｗｃｃの関係を満たすことで、第一側ミドル陸部および第一側ショルダー陸部の周方向細溝を跨ぐタイヤ径方向外側への突出と、センター陸部のタイヤ径方向外側への突出とのバランスを整え、第一側ミドル陸部および第一側ショルダー陸部と、センター陸部との接地長や接地圧のバランスを整えることができる。このため、乾燥路面での操縦安定性能の向上効果、および湿潤路面での操縦安定性能の向上効果を顕著に得ることができる。
【図面の簡単な説明】
【００１７】
【図１】図１は、本発明の実施形態に係る空気入りタイヤの子午断面図である。
【図２】図２は、本発明の実施形態に係る空気入りタイヤのトレッド部の平面図である。
【図３】図３は、図１のトレッド部詳細図である。
【図４】図４は、本発明の実施例に係る空気入りタイヤの性能評価試験の結果を示す図表である。
【発明を実施するための形態】
【００１８】
以下に、本発明の実施形態を図面に基づいて詳細に説明する。なお、この実施形態によりこの発明が限定されるものではない。また、この実施形態の構成要素には、当業者が置換可能かつ容易なもの、或いは実質的に同一のものが含まれる。また、この実施形態に記載された複数の変形例は、当業者自明の範囲内にて任意に組み合わせが可能である。
【００１９】
図１は、本実施形態に係る空気入りタイヤの子午断面図である。図２は、本実施形態に係る空気入りタイヤのトレッド部の平面図である。図３は、図１のトレッド部詳細図である。
【００２０】
以下の説明において、タイヤ径方向とは、空気入りタイヤ１の回転軸（図示省略）と直交する方向をいい、タイヤ径方向内側とはタイヤ径方向において回転軸に向かう側、タイヤ径方向外側とはタイヤ径方向において回転軸から離れる側をいう。また、タイヤ周方向とは、回転軸を中心軸とする周り方向をいう。また、タイヤ幅方向とは、回転軸と平行な方向をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。タイヤ赤道面ＣＬとは、空気入りタイヤ１の回転軸に直交すると共に、空気入りタイヤ１のタイヤ幅の中心を通る平面であり、タイヤ赤道面ＣＬは、空気入りタイヤ１のタイヤ幅方向における中心位置であるタイヤ幅方向中心線と、タイヤ幅方向における位置が一致する。タイヤ赤道線は、タイヤ赤道面ＣＬ上にあって空気入りタイヤ１のタイヤ周方向に沿う線をいい、本実施形態では、タイヤ赤道面と同じ符号「ＣＬ」を付す。
【００２１】
本実施形態の空気入りタイヤ１は、図１に示すように、トレッド部２と、その両側のショルダー部３と、各ショルダー部３から順次連続するサイドウォール部４及びビード部５とを有している。また、この空気入りタイヤ１は、カーカス層６と、ベルト層７と、ベルト補強層８とを備えている。
【００２２】
トレッド部２は、ゴム材（トレッドゴム）からなり、空気入りタイヤ１のタイヤ径方向の最も外側で露出し、その外周表面が空気入りタイヤ１の輪郭となる。トレッド部２の外周表面は、主に走行時に路面と接触し得る面であって、接地面１０として構成されている。
【００２３】
ショルダー部３は、トレッド部２のタイヤ幅方向両外側の部位である。また、サイドウォール部４は、空気入りタイヤ１におけるタイヤ幅方向の最も外側に露出したものである。また、ビード部５は、ビードコア１５とビードフィラー１６とを有する。ビードコア１５は、スチールワイヤであるビードワイヤをリング状に巻くことにより形成されている。ビードフィラー１６は、カーカス層６のタイヤ幅方向端部がビードコア１５の位置で折り返されることにより形成された空間に配置されるゴム材である。
【００２４】
カーカス層６は、各タイヤ幅方向端部が、一対のビードコア１５でタイヤ幅方向内側からタイヤ幅方向外側に折り返され、かつ、タイヤ周方向にトロイド状に掛け回されてタイヤの骨格を構成するものである。このカーカス層６は、タイヤ周方向に対する角度がタイヤ子午線方向に沿いつつタイヤ周方向にある角度を持って複数並設されたカーカスコード（図示省略）が、コートゴムで被覆されたものである。カーカスコードは、例えば、ポリエステルやレーヨンやナイロンなどの有機繊維からなる。このカーカス層６は、少なくとも１層で設けられている。
【００２５】
ベルト層７は、少なくとも２層のベルト７ａ，７ｂを積層した多層構造をなし、トレッド部２においてカーカス層６の外周であるタイヤ径方向外側に配置され、カーカス層６をタイヤ周方向に覆うものである。ベルト７ａ，７ｂは、タイヤ周方向に対して所定の角度（例えば、２０°〜３０°）で複数並設されたコード（図示省略）が、コートゴムで被覆されたものである。コードは、例えば、スチール、またはポリエステルやレーヨンやナイロンなどの有機繊維からなる。また、重なり合うベルト７ａ，７ｂは、互いのコードが交差するように配置されている。
【００２６】
ベルト補強層８は、ベルト層７の外周であるタイヤ径方向外側に配置されてベルト層７をタイヤ周方向に覆うものである。ベルト補強層８は、タイヤ周方向に略平行でタイヤ幅方向に複数並設されたコード（図示省略）がコートゴムで被覆されたものである。コードは、例えば、スチール、またはポリエステルやレーヨンやナイロンなどの有機繊維からなり、コードの角度はタイヤ周方向に対して±５°の範囲内になっている。図１で示すベルト補強層８は、ベルト層７全体を覆うように配置されている。ベルト補強層８の構成は、上記に限らず、図には明示しないが、ベルト層７のタイヤ幅方向端部のみを覆うように配置された構成、または、例えば２層の補強層を有し、タイヤ径方向内側の補強層がベルト層７よりもタイヤ幅方向で大きく形成されてベルト層７全体を覆うように配置され、タイヤ径方向外側の補強層がベルト層７のタイヤ幅方向端部のみを覆うように配置されている構成、あるいは、例えば２層の補強層を有し、各補強層がベルト層７のタイヤ幅方向端部のみを覆うように配置されている構成であってもよい。即ち、ベルト補強層８は、ベルト層７の少なくともタイヤ幅方向端部に重なるものである。また、ベルト補強層８は、例えば幅が１０ｍｍ程度の帯状のストリップ材をタイヤ周方向に巻き付けて設けられている。
【００２７】
なお、上述した空気入りタイヤ１の内部構造は、空気入りタイヤ１における代表的な例を示すものであるが、内部構造は、これに限定されるものではない。
【００２８】
本実施形態の空気入りタイヤ１は、車両に対する装着方向が指定されている。すなわち、本実施形態の空気入りタイヤ１は、車両に装着した場合、タイヤ幅方向において、車両の外側および内側に対する向きが指定されている。向きの指定は、図には明示しないが、例えば、サイドウォール部４に設けられた指標により示される。このため、車両に装着した場合に車両の外側に向く側が車両外側（第一側）となり、車両の内側に向く側が車両内側（第二側）となる。なお、車両外側および車両内側の指定は、車両に装着した場合に限らない。例えば、リム組みした場合に、タイヤ幅方向において、車両の外側および内側に対するリムの向きが決まっている。このため、空気入りタイヤ１は、リム組みした場合、タイヤ幅方向において、車両外側および車両内側に対する向きが指定される。
【００２９】
トレッド部２の接地面１０は、タイヤ周方向に延在してタイヤ全周に渡って連続する周方向溝２０がタイヤ幅方向に４本並んで形成されている。
【００３０】
周方向溝２０は、最も車両外側に配置される周方向溝２０以外が３．０ｍｍ以上の溝幅および６．０ｍｍ以上の溝深さを有し、ＪＡＴＭＡに規定されるウェアインジケータの表示義務を有する溝である。最も車両外側に配置される周方向溝２０は、他の周方向溝２０よりも溝幅が細い周方向細溝として形成されている。周方向細溝の溝幅は、他の周方向溝２０の溝幅よりも狭く、１．５ｍｍ以上４．０ｍｍの範囲にある。周方向細溝の溝深さは、他の周方向溝２０と同等である。
【００３１】
なお、以下に説明する溝幅やサイプ幅や陸部幅は、空気入りタイヤ１を規定リムに装着して規定内圧を充填した無負荷状態（規定荷重＝０）にて、接地面１０に開口する両溝開口端のタイヤ幅方向の寸法の最大値として測定される。溝開口縁に切欠部や面取部が形成されている構成では、溝開口端を切欠部や面取部の外縁として溝幅は切欠部や面取部を含み測定される。溝深さやサイプ深さは、空気入りタイヤ１を規定リムに装着して規定内圧を充填した無負荷状態（規定荷重＝０）にて、接地面１０から溝底までの寸法の最大値として測定される。
【００３２】
規定リムとは、ＪＡＴＭＡで規定する「標準リム」、ＴＲＡで規定する「Design  Rim」、或いは、ＥＴＲＴＯで規定する「Measuring  Rim」である。また、規定内圧とは、ＪＡＴＭＡで規定する「最高空気圧」、ＴＲＡで規定する「TIRE  LOAD  LIMITS  AT  VARIOUS  COLD  INFLATION  PRESSURES」に記載の最大値、或いはＥＴＲＴＯで規定する「INFLATION  PRESSURES」である。また、規定荷重とは、ＪＡＴＭＡで規定する「最大負荷能力」、ＴＲＡで規定する「TIRE  LOAD  LIMITS  AT  VARIOUS  COLD  INFLATION  PRESSURES」に記載の最大値、或いはＥＴＲＴＯで規定する「LOAD  CAPACITY」である。
【００３３】
周方向溝２０は、タイヤ赤道面ＣＬを境界としてタイヤ幅方向外側に２本ずつ配置されている。そして、車両外側において、タイヤ赤道面ＣＬ寄りの周方向溝２０を外側センター溝２１と呼び、外側センター溝２１のタイヤ幅方向外側の周方向溝（周方向細溝）２０を外側ショルダー溝２３と呼ぶ。車両内側において、タイヤ赤道面ＣＬ寄りの周方向溝２０を内側センター溝２２と呼び、内側センター溝２２のタイヤ幅方向外側の周方向溝２０を内側ショルダー溝２４と呼ぶ。
【００３４】
本実施形態において、周方向溝２０は、外側センター溝２１がタイヤ周方向に沿いつつタイヤ幅方向両側に一定間隔で屈曲したジグザグ状に形成されている。他の内側センター溝２２、外側ショルダー溝２３、内側ショルダー溝２４は、タイヤ周方向に直線状に形成されている。外側センター溝２１は、その溝開口端において接地面１０に長尺部と短尺部とを有する三角形状の面取部がタイヤ周方向に並んで形成され、両溝開口端において面取部の長尺部および短尺部が点対称の配置とされることで、ジグザグ状に形成されている。
【００３５】
また、トレッド部２の接地面１０は、４本の周方向溝２０（２１，２２，２３，２４）により、タイヤ幅方向に並ぶ５本の陸部３０が区画形成されている。そして、外側センター溝２１と内側センター溝２２との間に形成されたタイヤ赤道面ＣＬ上の陸部３０をセンター陸部３１と呼ぶ。車両外側（第一側）において、外側センター溝２１と外側ショルダー溝２３との間に形成された陸部３０を外側ミドル陸部（第一側ミドル陸部）３２と呼び、外側ショルダー溝２３のタイヤ幅方向外側に形成された陸部３０を外側ショルダー陸部（第一側ショルダー陸部）３４と呼ぶ。車両内側（第二側）において、内側センター溝２２と内側ショルダー溝２４との間に形成された陸部３０を内側ミドル陸部（第二側ミドル陸部）３３と呼び、内側ショルダー溝２４のタイヤ幅方向外側に形成された陸部３０を内側ショルダー陸部（第二側ショルダー陸部）３５と呼ぶ。外側ショルダー溝２３と内側ショルダー溝２４とは、それぞれ接地端Ｔ上に位置している。
【００３６】
接地端Ｔは、接地領域のタイヤ幅方向における両最外端であり、図２では、接地端Ｔをタイヤ周方向に連続して示している。接地領域は、空気入りタイヤ１を規定リムにリム組みし、かつ、規定内圧を充填すると共に規定荷重の７０％をかけたとき、この空気入りタイヤ１のトレッド部２の接地面１０が乾燥した平坦な路面と接地する領域である。
【００３７】
センター陸部３１は、接地面１０にラグ溝５１のみ形成されている。ラグ溝５１は、内側センター溝２２に一端が連通してタイヤ赤道面ＣＬ側（タイヤ幅方向内側）に延在し、センター陸部３１の接地面１０内で他端がセンター陸部３１のタイヤ幅方向の中央付近にあるタイヤ赤道面ＣＬに到らず終端して設けられている。ラグ溝５１は、タイヤ周方向に間隔をおいて複数配置されている。ラグ溝５１は、溝幅が、１．５ｍｍ以上４．５ｍｍ以下の範囲内にあり、溝深さが内側センター溝２２の溝深さの５５％以上８０％以下の範囲にある。ラグ溝５１は、センター陸部３１に溝が形成されていない構成と比較して、除水作用を確保して、湿潤路面での操縦安定性能の向上に寄与する。また、ラグ溝５１がセンター陸部３１の接地面１０内で他端がタイヤ赤道面ＣＬに到らず終端して設けられていることで、センター陸部３１の剛性を確保し、乾燥路面での操縦安定性能に寄与する。また、ラグ溝５１は、タイヤ周方向に対する傾斜角が、１１０ｄｅｇ以上１３０ｄｅｇ以下の範囲内にある。ラグ溝５１は、傾斜角が１１０ｄｅｇ以上を確保されることでチッピング摩耗の発生の抑制に寄与し、１３０ｄｅｇ以下を確保されることでエッジ効果により湿潤路面での操縦安定性能の向上に寄与する。
【００３８】
ラグ溝５１は、タイヤ幅方向の寸法Ｌ１と、センター陸部３１の陸部幅Ｗｃｃとが０．３０≦Ｌ１／Ｗｃｃ≦０．６０の関係を有することが好ましい。センター陸部３１の陸部幅Ｗｃｃは、周方向溝２０における面取部を除く接地面１０のタイヤ幅方向の寸法であり、路面に実際に接地し得る接地幅ともいう。以下、他の陸部の陸部幅の定義も同様である。ラグ溝５１は、０．３０≦Ｌ１／Ｗｃｃにより、除水作用を確保して、湿潤路面での操縦安定性能の向上に寄与し、Ｌ１／Ｗｃｃ≦０．６０により、センター陸部３１の剛性を確保して、乾燥路面での操縦安定性能に寄与する。
【００３９】
外側ミドル陸部３２は、接地面１０にラグ溝５２およびサイプ４１のみ形成されている。
【００４０】
ラグ溝５２は、外側ショルダー溝２３に一端が連通してタイヤ幅方向内側に延在し、外側ミドル陸部３２の接地面１０内で他端が終端して設けられている。ラグ溝５２は、主にタイヤ幅方向へ長尺状に延在して形成され、他端において屈曲部が設けられて主にタイヤ周方向に短尺状に延在して形成されている。ラグ溝５２は、タイヤ周方向に間隔をおいて複数配置されている。ラグ溝５２は、溝幅が、１．５ｍｍ以上４．５ｍｍ以下の範囲内にあり、溝深さが外側ショルダー溝２３の溝深さの５５％以上８０％以下の範囲にある。
【００４１】
ラグ溝５２は、タイヤ幅方向の寸法Ｌ２と、外側ミドル陸部３２の陸部幅Ｗｃｏとが０．６５≦Ｌ２／Ｗｃｏ≦０．８５の関係を有することが好ましい。ラグ溝５２は、０．６５≦Ｌ２／Ｗｃｏにより、除水作用を確保して、湿潤路面での操縦安定性能の向上に寄与し、Ｌ２／Ｗｃｏ≦０．８５により、外側ミドル陸部３２の剛性を確保して、乾燥路面での操縦安定性能に寄与する。特に、ラグ溝５２が外側ミドル陸部３２において除水作用の寄与が高いタイヤ幅方向外側（接地端Ｔ側）のエッジ部に配置されていることで、湿潤路面での操縦安定性能の向上への寄与が高い。
【００４２】
サイプ４１は、タイヤ周方向で隣り合う各ラグ溝５２の終端部の間に単一で配置されて、主にタイヤ周方向に延在する。サイプ４１は、ラグ溝５２および周方向溝２０に連通せず、両端が外側ミドル陸部３２の接地面１０内で終端して設けられている。サイプ４１は、サイプ幅が０．３ｍｍ以上１．５ｍｍ以下の範囲内にあり、サイプ深さが３．０ｍｍ以上７．０ｍｍ以下の範囲内である。サイプ４１は、接地面１０が接地したときに閉塞する。サイプ４１は、上記の如く、タイヤ幅方向の寸法Ｌ２のラグ溝５２と、当該ラグ溝５２の終端部の間での配置により、ラグ溝５２および周方向溝２０との配置関係が適正化されているため、外側ミドル陸部３２の剛性を均一化して、乾燥路面での操縦安定性能に寄与する。
【００４３】
内側ミドル陸部３３は、接地面１０にラグ溝５３およびサイプ４２のみ形成されている。
【００４４】
ラグ溝５３は、内側ショルダー溝２４に一端が連通してタイヤ幅方向内側に延在し、内側ミドル陸部３３の接地面１０内で他端が終端して設けられている。ラグ溝５３は、主にタイヤ幅方向へ長尺状に延在して形成されている。ラグ溝５３は、タイヤ周方向に間隔をおいて複数配置されている。ラグ溝５３は、タイヤ周方向に間隔をおいて複数配置されている。ラグ溝５２は、溝幅が、１．５ｍｍ以上４．５ｍｍ以下の範囲内にあり、溝深さが外側ショルダー溝２３の溝深さの５５％以上８０％以下の範囲にある。
【００４５】
ラグ溝５３は、タイヤ幅方向の寸法Ｌ３と、内側ミドル陸部３３の陸部幅Ｗｃｉとが０．５０≦Ｌ３／Ｗｃｉ≦０．８０の関係を有することが好ましい。ラグ溝５２は、０．５０≦Ｌ３／Ｗｃｉにより、除水作用を確保して、湿潤路面での操縦安定性能の向上に寄与し、Ｌ３／Ｗｃｉ≦０．８０により、内側ミドル陸部３３の剛性を確保して、乾燥路面での操縦安定性能に寄与する。
【００４６】
サイプ４２は、内側センター溝２２に一端が連通してタイヤ幅方向外側に延在し、内側ミドル陸部３３の接地面１０内で他端が終端して設けられている。サイプ４２は、タイヤ周方向に間隔をおいて複数配置されている。サイプ４２は、サイプ幅が０．６ｍｍ以上１．８ｍｍ以下の範囲内にあり、サイプ深さが３．０ｍｍ以上７．０ｍｍ以下の範囲内である。サイプ４２は、接地面１０が接地したときに閉塞する。サイプ４２は、ラグ溝５３に対してタイヤ周方向で交互に配置される。これにより、ラグ溝のみあるいはサイプのみがタイヤ周方向に配置される構成と比較して、除水作用を確保して、湿潤路面での操縦安定性能の向上に寄与すると共に、内側ミドル陸部３３の剛性バランスを確保して、乾燥路面での操縦安定性能の向上に寄与する。特に、ラグ溝５３が内側ミドル陸部３３において除水作用の寄与が高いタイヤ幅方向外側（接地端Ｔ側）のエッジ部に配置され、サイプ４２が内側ミドル陸部３３において剛性向上の寄与が高いタイヤ幅方向内側（タイヤ赤道面ＣＬ側）のエッジ部に配置されることにより、湿潤路面での操縦安定性能および乾燥路面での操縦安定性能の相互のバランスを効果的に高めることができる。
【００４７】
サイプ４２は、タイヤ幅方向の寸法Ｌ４と、内側ミドル陸部３３の陸部幅Ｗｃｉとが０．２０≦Ｌ４／Ｗｃｉ≦０．２５の関係を有することが好ましい。サイプ４２は、０．２０≦Ｌ４／Ｗｃｉにより、除水作用を確保して、湿潤路面での操縦安定性能の向上に寄与し、Ｌ４／Ｗｃｉ≦０．２５により、内側ミドル陸部３３の剛性を確保して、乾燥路面での操縦安定性能に寄与する。
【００４８】
なお、サイプ４２とラグ溝５３とは、タイヤ周方向で視たときに互いに重なることなく配置されている。具体的に、サイプ４２の終端とラグ溝５３の終端とのタイヤ幅方向の寸法Ｄ１が、内側ミドル陸部３３の陸部幅Ｗｃｉに対して、０．０５≦Ｄ１／Ｗｃｉ≦０．２０の範囲にあることが好ましい。これにより、両者がタイヤ周方向で視たときに互いに重なる構成と比較して、内側ミドル陸部３３の剛性が確保されて、乾燥路面での操縦安定性能の向上に寄与する。
【００４９】
また、内側ミドル陸部３３のサイプ４２とセンター陸部３１のラグ溝５１とは、タイヤ周方向に対して相互に同一方向に傾斜する。また、サイプ４２とラグ溝５１とは、相互の延長線に沿って延在し、内側センター溝２２を間において内側センター溝２２に連通する一端が互いに対向するように設けられている。これにより、サイプ４２とラグ溝５１とは、除水作用を確保して、湿潤路面での操縦安定性能の向上に寄与する。
【００５０】
外側ショルダー陸部３４は、接地面１０にラグ溝５４，５５のみ形成されている。
【００５１】
ラグ溝５４は、タイヤ幅方向外側から接地端Ｔに交差してタイヤ幅方向内側に延在し、延在端が外側ショルダー溝２３に連通することなく外側ショルダー陸部３４の接地面１０内で終端して設けられている。ラグ溝５４は、タイヤ周方向に間隔をおいて複数配置されている。ラグ溝５４は、溝幅が、１．５ｍｍ以上４．５ｍｍ以下の範囲内にあり、溝深さが外側ショルダー溝２３の溝深さの５５％以上８０％以下の範囲にある。
【００５２】
ラグ溝５４は、接地端Ｔからタイヤ幅方向内側の寸法Ｌ５と、外側ショルダー陸部３４の陸部幅Ｗｓｏとが０．５０≦Ｌ５／Ｗｓｏ≦０．９０の関係を有することが好ましい。ラグ溝５４は、０．５０≦Ｌ５／Ｗｓｏにより、除水作用を確保して、湿潤路面での操縦安定性能の向上に寄与し、Ｌ５／Ｗｓｏ≦０．９０により、外側ショルダー陸部３４の剛性を確保して、乾燥路面での操縦安定性能に寄与する。外側ショルダー陸部３４の陸部幅Ｗｓｏは、外側ショルダー溝２３のタイヤ幅方向外側のエッジ部と、車両外側の接地端Ｔとの間のタイヤ幅方向の寸法である。
【００５３】
ラグ溝５５は、外側ショルダー溝２３に一端が連通してタイヤ幅方向外側に延在し、接地端Ｔに交差することなく外側ショルダー陸部３４の接地面１０内で他端が終端して設けられている。ラグ溝５５は、タイヤ周方向に間隔をおいて複数配置されている。ラグ溝５５は、溝幅が、１．５ｍｍ以上４．５ｍｍ以下の範囲内にあり、溝深さが内側ショルダー溝２４の溝深さの５５％以上８０％以下の範囲にある。ラグ溝５５は、ラグ溝５４に対してタイヤ周方向で交互に配置される。これにより、いずれか一方のラグ溝のみがタイヤ周方向に配置される構成と比較して、除水作用を確保して、湿潤路面での操縦安定性能の向上に寄与すると共に、外側ショルダー陸部３４の剛性バランスを確保して、乾燥路面での操縦安定性能の向上に寄与する。
【００５４】
ラグ溝５５は、タイヤ幅方向の寸法Ｌ６と、外側ショルダー陸部３４の陸部幅Ｗｓｏとが０．３５≦Ｌ６／Ｗｓｏ≦０．５５の関係を有することが好ましい。ラグ溝５５は、０．３５≦Ｌ６／Ｗｓｏにより、除水作用を確保して、湿潤路面での操縦安定性能の向上に寄与し、Ｌ６／Ｗｓｏ≦０．５５により、外側ショルダー陸部３４の剛性を確保して、乾燥路面での操縦安定性能に寄与する。
【００５５】
なお、ラグ溝５４，５５は、タイヤ周方向で視たときに互いに重なるように配置されている。具体的に、相互に重なるラグ溝５４，５５の終端同士のタイヤ幅方向の寸法Ｄ２が、外側ショルダー陸部３４の陸部幅Ｗｓｏに対して、０．１０≦Ｄ２／Ｗｓｏ≦０．３０の範囲にあることが好ましい。これにより、両者がタイヤ周方向で視たときに互いに重ならない構成と比較して、除水作用が確保されて、湿潤路面での操縦安定性能の向上に寄与する。
【００５６】
内側ショルダー陸部３５は、ラグ溝５６およびサイプ４３のみ形成されている。
【００５７】
ラグ溝５６は、タイヤ幅方向外側から接地端Ｔに交差してタイヤ幅方向内側に延在し、延在端が内側ショルダー溝２４に連通することなく内側ショルダー陸部３５の接地面１０内で終端して設けられている。ラグ溝５６は、タイヤ周方向に間隔をおいて複数配置されている。ラグ溝５６は、溝幅が、１．５ｍｍ以上４．５ｍｍ以下の範囲内にあり、溝深さが内側ショルダー溝２４の溝深さの５５％以上８０％以下の範囲にある。
【００５８】
ラグ溝５６は、接地端Ｔからタイヤ幅方向内側の寸法Ｌ７と、内側ショルダー陸部３５の陸部幅Ｗｓｉとが０．７０≦Ｌ７／Ｗｓｉ≦０．９０の関係を有することが好ましい。ラグ溝５６は、０．７０≦Ｌ７／Ｗｓｉにより、除水作用を確保して、湿潤路面での操縦安定性能の向上に寄与し、Ｌ７／Ｗｓｉ≦０．９０により、内側ショルダー陸部３５の剛性を確保して、乾燥路面での操縦安定性能に寄与する。内側ショルダー陸部３５の陸部幅Ｗｓｉは、内側ショルダー溝２４のタイヤ幅方向外側のエッジ部と、車両内側の接地端Ｔとの間のタイヤ幅方向の寸法である。
【００５９】
サイプ４３は、内側ショルダー溝２４に一端が連通してタイヤ幅方向外側に延在し、接地端Ｔに交差することなく内側ショルダー陸部３５の接地面１０内で他端が終端して設けられている。サイプ４３は、タイヤ周方向に間隔をおいて複数配置されている。サイプ４３は、サイプ幅が０．６ｍｍ以上１．８ｍｍ以下の範囲内にあり、サイプ深さが３．０ｍｍ以上７．０ｍｍ以下の範囲内である。サイプ４３は、接地面１０が接地したときに閉塞する。サイプ４３は、ラグ溝５６に対してタイヤ周方向で交互に配置される。これにより、ラグ溝のみあるいはサイプのみがタイヤ周方向に配置される構成と比較して、除水作用を確保して、湿潤路面での操縦安定性能の向上に寄与すると共に、内側ショルダー陸部３５の剛性バランスを確保して、乾燥路面での操縦安定性能の向上に寄与する。
【００６０】
サイプ４３は、タイヤ幅方向の寸法Ｌ８と、内側ショルダー陸部３５の陸部幅Ｗｓｉとが０．４０≦Ｌ８／Ｗｓｉ≦０．６０の関係を有することが好ましい。サイプ４３は、０．４０≦Ｌ８／Ｗｓｉにより、除水作用を確保して、湿潤路面での操縦安定性能の向上に寄与し、Ｌ８／Ｗｓｉ≦０．６０により、内側ショルダー陸部３５の剛性を確保して、乾燥路面での操縦安定性能に寄与する。
【００６１】
なお、サイプ４３とラグ溝５６とは、タイヤ周方向で視たときに互いに重なるように配置されている。具体的に、相互に重なるサイプ４３とラグ溝５６との終端のタイヤ幅方向の寸法Ｄ３が、外側ショルダー陸部３４の陸部幅Ｗｓｉに対して、０．２０≦Ｄ３／Ｗｓｉ≦０．４０の範囲にあることが好ましい。これにより、両者がタイヤ周方向で視たときに互いに重ならない構成と比較して、除水作用が確保されて、湿潤路面での操縦安定性能の向上に寄与する。
【００６２】
上述した本実施形態の空気入りタイヤ１は、センター陸部３１の陸部幅Ｗｃｃと外側ミドル陸部（第一側ミドル陸部）３２の陸部幅ＷｃｏとがＷｃｏ＜Ｗｃｃの関係を満たし、かつ外側ミドル陸部３２および外側ショルダー陸部（第一側ショルダー陸部）３４の接地面１０が外側ショルダー溝（周方向細溝）２３を跨ぐ基準プロファイルＰＲｓｏに対してタイヤ径方向外側に共に突出して形成され、センター陸部３１の接地面１０が基準プロファイルＰＲｃｃに対してタイヤ径方向外側に突出して形成され、内側ミドル陸部（第二側ミドル陸部）３３の接地面１０が基準プロファイルＰＲｃｉに対してタイヤ径方向外側に突出して形成されて、外側ミドル陸部３２および外側ショルダー陸部３４の突出量Ｈｓｏに対し、センター陸部３１の突出量Ｈｃｃと内側ミドル陸部３３の突出量Ｈｃｉとが、Ｈｃｃ＜Ｈｓｏ、Ｈｃｉ＜Ｈｓｏの関係を満たす。
【００６３】
ここで、図３に示すように、外側ミドル陸部３２および外側ショルダー陸部３４の基準プロファイルＰＲｃｏは、空気入りタイヤ１を規定リムに装着して規定内圧を充填した無負荷状態（規定荷重＝０）の子午断面視で、外側センター溝２１における各溝開口端Ｐ１ｏ，Ｐ２ｏおよび車両外側（第一側）の接地端Ｔの３点を通過する円弧である。そして、外側ミドル陸部３２および外側ショルダー陸部３４の接地面１０は、外側センター溝２１のタイヤ幅方向外側の溝開口端Ｐ２ｏと車両外側の接地端Ｔとの間のタイヤ幅方向の寸法である外側ミドル陸部３２の陸部幅Ｗｃｏおよび外側ショルダー陸部３４の陸部幅Ｗｓｏを含む範囲において、各溝開口端Ｐ２ｏおよび車両外側の接地端Ｔから外側ショルダー溝（周方向細溝）２３を跨いでタイヤ幅方向の中央部に向けて漸次曲線（または円弧）にてタイヤ径方向外側に突出している。即ち、言い換えると、外側ミドル陸部３２および外側ショルダー陸部３４の突出量Ｈｓｏは、陸部幅Ｗｃｏのタイヤ幅方向の端部である溝開口端Ｐ２ｏおよび陸部幅Ｗｓｏのタイヤ幅方向の端部である車両外側の接地端Ｔに対する基準プロファイルＰＲｓｏからの突出差となる。
【００６４】
また、センター陸部３１の基準プロファイルＰＲｃｃは、空気入りタイヤ１を規定リムに装着して規定内圧を充填した無負荷状態（規定荷重＝０）の子午断面視で、外側センター溝２１における各溝開口端Ｐ１ｏ，Ｐ２ｏおよび内側センター溝２２におけるタイヤ幅方向内側の溝開口端Ｐ１ｉの３点を通過する円弧、または内側センター溝２２における各溝開口端Ｐ１ｉ，Ｐ２ｉおよび外側センター溝２１におけるタイヤ幅方向内側の溝開口端Ｐ２ｉの３点を通過する円弧である。そして、センター陸部３１の接地面１０は、外側センター溝２１のタイヤ幅方向内側の溝開口端Ｐ１ｏと内側センター溝２２のタイヤ幅方向内側の溝開口端Ｐ１ｉとの間のタイヤ幅方向の寸法であるセンター陸部３１の陸部幅Ｗｃｃにおいて、各溝開口端Ｐ１ｏ，Ｐ１ｉからタイヤ幅方向の中央部に向けて漸次曲線（または円弧）にてタイヤ径方向外側に突出している。即ち、言い換えると、センター陸部３１の突出量Ｈｃｃは、陸部幅Ｗｃｃのタイヤ幅方向の端部である各溝開口端Ｐ１ｏ，Ｐ１ｉに対する基準プロファイルＰＲｃｃからの突出差となる。
【００６５】
また、内側ミドル陸部３３の基準プロファイルＰＲｃｉは、空気入りタイヤ１を規定リムに装着して規定内圧を充填した無負荷状態（規定荷重＝０）の子午断面視で、内側センター溝２２における各溝開口端Ｐ１ｉ，Ｐ２ｉおよび内側ショルダー溝２４におけるタイヤ幅方向内側の溝開口端Ｐ３ｉの３点を通過する円弧である。そして、内側ミドル陸部３３の接地面１０は、内側センター溝２２のタイヤ幅方向外側の溝開口端Ｐ２ｉと内側ショルダー溝２４のタイヤ幅方向内側の溝開口端Ｐ３ｉとの間のタイヤ幅方向の寸法である内側ミドル陸部３３の陸部幅Ｗｃｉにおいて、各溝開口端Ｐ２ｉ，Ｐ３ｉからタイヤ幅方向の中央部に向けて漸次曲線（または円弧）にてタイヤ径方向外側に突出している。即ち、言い換えると、内側ミドル陸部３３の突出量Ｈｃｉは、陸部幅Ｗｃｉのタイヤ幅方向の端部である各溝開口端Ｐ２ｉ，Ｐ３ｉに対する基準プロファイルＰＲｃｉからの突出差となる。
【００６６】
従って、この空気入りタイヤ１によれば、外側ミドル陸部３２および外側ショルダー陸部３４の接地面１０が、基準プロファイルＰＲｓｏよりタイヤ径方向外側に共に突出して形成され、センター陸部３１および内側ミドル陸部３３の接地面１０も、それぞれ基準プロファイルＰＲｃｃ，ＰＲｃｉよりタイヤ径方向外側に突出して形成されていることで、外側ミドル陸部３２および外側ショルダー陸部３４を含むタイヤ幅方向中央部の接地長、センター陸部３１および内側ミドル陸部３３のそれぞれのタイヤ幅方向中央部の接地長を確保することができる。このため、乾燥路面での操縦安定性能を向上することができる。特に、外側ミドル陸部３２と外側ショルダー陸部３４との間に周方向細である外側ショルダー溝２３が設けられていることで、この外側ショルダー溝２３の部分で接地長を確保することができる。接地長は、上述した接地領域におけるタイヤ周方向の寸法である。このため、乾燥路面での操縦安定性能を向上することができる。また、外側ミドル陸部３２および外側ショルダー陸部３４の接地面１０が、基準プロファイルＰＲｓｏよりタイヤ径方向外側に共に突出して形成され、センター陸部３１および内側ミドル陸部３３の接地面１０も、それぞれ基準プロファイルＰＲｃｃ，ＰＲｃｉよりタイヤ径方向外側に突出して形成されていることで、外側ミドル陸部３２および外側ショルダー陸部３４を含むタイヤ幅方向中央部の接地圧、センター陸部３１および内側ミドル陸部３３のそれぞれのタイヤ幅方向中央部の接地圧を高めることができる。このため、外側ミドル陸部３２および外側ショルダー陸部３４を含むタイヤ幅方向中央部からタイヤ幅方向両側に向けて除水作用が向上し、センター陸部３１および内側ミドル陸部３３のそれぞれのタイヤ幅方向中央部タイヤ幅方向両側に向けて除水作用が向上して、湿潤路面での操縦安定性能を向上することができる。
【００６７】
しかも、この空気入りタイヤ１によれば、外側ミドル陸部３２および外側ショルダー陸部３４の突出量Ｈｓｏに対し、センター陸部３１の突出量Ｈｃｃと内側ミドル陸部３３の突出量Ｈｃｉとが、Ｈｃｃ＜Ｈｓｏ、Ｈｃｉ＜Ｈｓｏの関係を満たし、接地領域において他と比較して接地長が減少するタイヤ幅方向外側の外側ミドル陸部３２および外側ショルダー陸部３４の突出量Ｈｓｏを、そのタイヤ幅方向内側に隣接するセンター陸部３１の突出量Ｈｃｃや内側ミドル陸部３３の突出量Ｈｃｉよりも大きくすることで、外側ミドル陸部３２および外側ショルダー陸部３４とそのタイヤ幅方向内側との間で急激な接地長の減少を抑制することができ、接地性を良好とし、乾燥路面での操縦安定性能および湿潤路面での操縦安定性能の向上に寄与することができる。この結果、乾燥路面での操縦安定性能および湿潤路面での操縦安定性能を向上することができる。
【００６８】
しかも、この空気入りタイヤ１によれば、センター陸部３１の陸部幅Ｗｃｃと外側ミドル陸部（第一側ミドル陸部）３２の陸部幅ＷｃｏとがＷｃｏ＜Ｗｃｃの関係を満たすことで、外側ミドル陸部３２および外側ショルダー陸部３４の外側ショルダー溝２３を挟むタイヤ径方向外側への突出と、センター陸部３１のタイヤ径方向外側への突出とのバランスを整え、外側ミドル陸部３２および外側ショルダー陸部３４と、センター陸部３１との接地長や接地圧のバランスを整えることができる。このため、乾燥路面での操縦安定性能の向上効果、および湿潤路面での操縦安定性能の向上効果を顕著に得ることができる。
【００６９】
また、この空気入りタイヤ１によれば、車両に対する装着方向が指定されており、車両外側がタイヤ幅方向の第一側であり、車両内側がタイヤ幅方向の第二側である場合、車両外側のコーナリング時に接地圧が上昇する領域において、外側ミドル陸部３２および外側ショルダー陸部３４の接地面１０が、基準プロファイルＰＲｓｏよりタイヤ径方向外側に共に突出して形成されていることで、外側ミドル陸部３２および外側ショルダー陸部３４のタイヤ幅方向中央部の接地長を確保し、乾燥路面での操縦安定性能の向上効果を顕著に得ることができ、かつ外側ミドル陸部３２および外側ショルダー陸部３４のタイヤ幅方向中央部の接地圧を高め、タイヤ幅方向中央部からタイヤ幅方向両側に向けて除水作用を向上し、湿潤路面での操縦安定性能の向上効果を顕著に得ることができる。
【００７０】
また、本実施形態の空気入りタイヤ１では、センター陸部３１の突出量Ｈｃｃが０．２ｍｍ≦Ｈｃｃ≦０．４ｍｍの範囲であることが好ましい。
【００７１】
この空気入りタイヤ１によれば、センター陸部３１の突出量Ｈｃｃを０．２ｍｍ以上とすることで、センター陸部３１のタイヤ幅方向の中央部での接地圧を、そのタイヤ幅方向の両側の接地圧に近づけることができる。一方、センター陸部３１の突出量Ｈｃｃを０．４ｍｍ以下とすることで、センター陸部３１のタイヤ幅方向の両側での接地圧の過度な低下を抑制することができる。この結果、センター陸部３１における接地性を良好として、路面とのクリップ力を高めることができ、乾燥路面での操縦安定性能および湿潤路面での操縦安定性能を向上することができる。
【００７２】
また、本実施形態の空気入りタイヤ１では、外側ミドル陸部３２および外側ショルダー陸部３４の突出量Ｈｓｏが０．３ｍｍ≦Ｈｓｏ≦０．６ｍｍの範囲であることが好ましい。
【００７３】
この空気入りタイヤ１によれば、外側ミドル陸部３２および外側ショルダー陸部３４の突出量Ｈｓｏを０．３ｍｍ以上とすることで、外側ミドル陸部３２および外側ショルダー陸部３４のタイヤ幅方向の中央部での接地圧を、そのタイヤ幅方向の両側の接地圧に近づけることができる。一方、外側ミドル陸部３２および外側ショルダー陸部３４の突出量Ｈｓｏを０．６ｍｍ以下とすることで、外側ミドル陸部３２および外側ショルダー陸部３４のタイヤ幅方向の両側での接地圧の過度な低下を抑制することができる。この結果、外側ショルダー溝２３を挟む外側ミドル陸部３２および外側ショルダー陸部３４における接地性を良好として、路面とのクリップ力を高めることができ、乾燥路面での操縦安定性能および湿潤路面での操縦安定性能を向上することができる。
【００７４】
また、本実施形態の空気入りタイヤ１では、センター陸部３１の突出量Ｈｃｃと外側ミドル陸部３２および外側ショルダー陸部３４の突出量Ｈｓｏとが１．２≦Ｈｓｏ／Ｈｃｃ≦２．０の関係を満たすことが好ましい。
【００７５】
この空気入りタイヤ１によれば、センター陸部３１における接地圧と、外側ショルダー溝２３を挟む外側ミドル陸部３２および外側ショルダー陸部３４における接地圧とのバランスを確保し、双方の接地性を良好として、センター陸部３１よりも車両外側のコーナリング時に接地圧が上昇する外側ミドル陸部３２および外側ショルダー陸部３４の領域において、路面とのクリップ力を高めることができ、乾燥路面での操縦安定性能および湿潤路面での操縦安定性能を向上することができる。
【００７６】
また、本実施形態の空気入りタイヤ１では、センター陸部３１の突出量Ｈｃｃと内側ミドル陸部３３の突出量Ｈｃｉとが０．９≦Ｈｃｃ／Ｈｃｉ≦１．１の関係を満たすことが好ましい。
【００７７】
この空気入りタイヤ１によれば、センター陸部３１の突出量Ｈｃｃと内側ミドル陸部３３の突出量Ｈｃｉとが０．９≦Ｈｃｃ／Ｈｃｉ≦１．１の関係を満たすことで、センター陸部３１および内側ミドル陸部３３において、接地圧の過度な変動を抑制することができ、これらの接地性を良好として、路面とのクリップ力を高めることができ、乾燥路面での操縦安定性能および湿潤路面での操縦安定性能を向上することができる。
【００７８】
また、本実施形態の空気入りタイヤ１では、センター陸部３１の接地面１０において接地時にタイヤ幅方向の一方の周方向溝２０に一端が連通して他端がセンター陸部３１で終端するラグ溝５１が存在し、外側ミドル陸部３２の接地面１０において接地時にタイヤ幅方向外側の外側ショルダー溝２３に一端が連通して他端が外側ミドル陸部３２で終端するラグ溝５２が存在し、内側ミドル陸部３３の接地面１０において接地時にタイヤ幅方向外側の内側ショルダー溝２４に一端が連通して他端が内側ミドル陸部３３で終端するラグ５３溝が存在することが好ましい。
【００７９】
この空気入りタイヤ１によれば、センター陸部３１、外側ミドル陸部３２、内側ミドル陸部３３において、他端が陸部３１，３２，３３で終端するラグ溝５１，５２，５３が設けられていることで、各陸部３１，３２，３３がリブ状に形成されて陸部剛性を確保し、接地性を良好として、路面とのクリップ力を高めることができ、乾燥路面での操縦安定性能を向上することができる。さらに、他端が陸部３１，３２，３３で終端するラグ溝５１，５２，５３が設けられていることで、除水作用を確保するため、乾燥路面での操縦安定性能を維持しつつ湿潤路面での操縦安定性能を向上することができる。
【００８０】
また、本実施形態の空気入りタイヤ１では、センター陸部３１の陸部幅Ｗｃｃに対し、外側ミドル陸部３２の陸部幅Ｗｃｏと、外側ショルダー陸部３４の陸部幅Ｗｓｏと、内側ミドル陸部３３の陸部幅Ｗｃｉと、内側ショルダー陸部３５の陸部幅Ｗｓｉとが０．７≦Ｗｃｏ／Ｗｃｃ≦０．９、１．０≦Ｗｓｏ／Ｗｃｃ≦１．２、０．７≦Ｗｃｉ／Ｗｃｃ≦０．９、０．９≦Ｗｓｉ／Ｗｃｃ≦１．１の関係を満たすことが好ましい。
【００８１】
この空気入りタイヤ１によれば、センター陸部３１の陸部幅Ｗｃｃに対し、外側ミドル陸部３２の陸部幅Ｗｃｏが０．７倍から０．９倍に形成され、センター陸部３１の陸部幅Ｗｃｃに対し、外側ショルダー陸部３４の陸部幅Ｗｓｏが１．０倍から１．２倍に形成され、センター陸部３１の陸部幅Ｗｃｃに対し、内側ミドル陸部３３の陸部幅Ｗｃｉが０．７倍から０．９倍に形成され、センター陸部３１の陸部幅Ｗｃｃに対し、内側ショルダー陸部３５の陸部幅Ｗｓｉが同等に形成されていることで、センター陸部３１に対して各ショルダー陸部３４，３５の間の各ミドル陸部３２，３３の接地圧を弱め、その分各ショルダー陸部３４，３５の接地圧を高め、接地領域のタイヤ幅方向全体において、路面とのクリップ力をバランスよく高めることができ、乾燥路面での操縦安定性能および湿潤路面での操縦安定性能を向上することができる。
【００８２】
また、本実施形態の空気入りタイヤ１では、内側ショルダー陸部３５の接地面１０が基準プロファイルＰＲｓｉに対してタイヤ径方向外側に突出して形成されており、前記第一側ショルダー陸部の突出量Ｈｓｏと前記第二側ショルダー陸部の突出量Ｈｓｉとが０．９≦Ｈｓｏ／Ｈｓｉ≦１．１の関係を満たすことが好ましい。
【００８３】
ここで、図３に示すように、内側ショルダー陸部３５の基準プロファイルＰＲｓｉは、空気入りタイヤ１を規定リムに装着して規定内圧を充填した無負荷状態（規定荷重＝０）の子午断面視で、内側ショルダー溝２４における各溝開口端Ｐ３ｉ，Ｐ４ｉおよび車両内側の接地端Ｔの３点を通過する円弧である。そして、内側ショルダー陸部３５の接地面１０は、内側ショルダー溝２４のタイヤ幅方向外側の溝開口端Ｐ４ｉと車両内側の接地端Ｔとの間のタイヤ幅方向の寸法が内側ショルダー陸部３５の陸部幅Ｗｓｉにおいて、溝開口端Ｐ４ｉおよび車両内側の接地端Ｔからタイヤ幅方向の中央部に向けて漸次曲線（または円弧）にてタイヤ径方向外側に突出している。即ち、言い換えると、内側ショルダー陸部３５の突出量Ｈｓｉは、陸部幅Ｗｓｉのタイヤ幅方向の端部である溝開口端Ｐ４ｉおよび車両内側の接地端Ｔに対する基準プロファイルＰＲｓｉからの突出差となる。
【００８４】
従って、この空気入りタイヤ１によれば、内側ショルダー陸部３５の接地面１０も、基準プロファイルＰＲｓｉよりタイヤ径方向外側に突出して形成されることで、内側ショルダー陸部３５のタイヤ幅方向中央部の接地長も確保することができる。このため、乾燥路面での操縦安定性能を向上することができる。しかも、内側ショルダー陸部３５の接地面１０も、基準プロファイルＰＲｓｉよりタイヤ径方向外側に突出して形成されることで、内側ショルダー陸部３５のタイヤ幅方向中央部の接地圧を高めることができる。このため、内側ショルダー陸部３５のタイヤ幅方向中央部からタイヤ幅方向両側に向けて除水作用が向上し、湿潤路面での操縦安定性能を向上することができる。この結果、乾燥路面での操縦安定性能および湿潤路面での操縦安定性能を向上することができる。しかも、外側ショルダー陸部３４の突出量Ｈｓｏと内側ショルダー陸部３５の突出量Ｈｓｉとが０．９≦Ｈｓｏ／Ｈｓｉ≦１．１の関係を満たすことで、外側ショルダー陸部３４と内側ショルダー陸部３５において、接地圧の過度な変動を抑制することができ、これらの接地性を良好として、路面とのクリップ力を高めることができ、乾燥路面での操縦安定性能および湿潤路面での操縦安定性能を向上することができる。
【実施例】
【００８５】
本実施例では、条件が異なる複数種類の空気入りタイヤについて、乾燥路面での操縦安定性能（ドライ性能とも言う）および湿潤路面で操縦安定性能（ウエット性能とも言う）に関する性能試験が行われた（図４参照）。
【００８６】
性能評価試験は、ＪＡＴＭＡで規定されるタイヤの呼びが２２５／５０Ｒ１７  ９８Ｗサイズの試験タイヤである空気入りタイヤを、リムサイズ１７×７５Ｊの正規リムに組み付けて内圧２３０ｋＰａを充填し、セダンタイプの試験車両の全後輪全てに装着した。
【００８７】
乾燥路面での操縦安定性能の評価方法は、乾燥路面のテストコースを走向し、専門のテストドライバーが制駆動性能やレーンチェンジ性能、コーナリング性能などに関してフィーリング評価を行う。この評価は、従来例を基準（１００）とした指数評価が行われる。この評価は、指数が高いほど乾燥路面で操縦安定性能が優れていることを示している。
【００８８】
湿潤路面で操縦安定性能の評価方法は、湿潤路面のテストコースを走向し、専門のテストドライバーが制駆動性能やレーンチェンジ性能、コーナリング性能などに関してフィーリング評価を行う。この評価は、従来例を基準（１００）とした指数評価が行われる。この評価は、指数が高いほど湿潤路面で操縦安定性能が優れていることを示している。
【００８９】
図４において、従来例および実施例１〜実施例１５の空気入りタイヤは、車両に対する装着方向が指定されており、トレッド部の接地面にタイヤ周方向に延びる４本の周方向溝によりタイヤ幅方向に５本の陸部が区画形成されることで、タイヤ赤道面上のセンター陸部と、センター陸部の車両外側の外側ミドル陸部と、外側ミドル陸部の車両外側の外側ショルダー陸部と、センター陸部の車両内側の内側ミドル陸部と、内ミドル陸部の車両内側の内側ショルダー陸部と、を有してなり、外側ミドル陸部と外側ショルダー陸部との間の周方向溝が、他の３本の周方向溝よりも溝幅が細い周方向細溝として形成されている。
【００９０】
そして、従来例の空気入りタイヤは、各陸部の接地面が基準プロファイル上にあり、各陸部幅が同等である。一方、実施例１〜実施例１６の空気入りタイヤは、センター陸部の陸部幅Ｗｃｃと外側ミドル陸部の陸部幅ＷｃｏとがＷｃｏ＜Ｗｃｃの関係を満たし、かつ外側ミドル陸部および外側ショルダー陸部の接地面が周方向細溝を跨ぐ基準プロファイルに対してタイヤ径方向外側に突出して形成され、センター陸部の接地面が基準プロファイルに対してタイヤ径方向外側に共に突出して形成され、内側ミドル陸部の接地面が基準プロファイルに対してタイヤ径方向外側に突出して形成されて、外側ミドル陸部および外側ショルダー陸部の突出量Ｈｓｏに対し、センター陸部の突出量Ｈｃｃと内側ミドル陸部の突出量Ｈｃｉとが、Ｈｃｃ＜Ｈｓｏ、Ｈｃｉ＜Ｈｓｏの関係を満たす。
【００９１】
図４の試験結果に示すように、実施例１〜実施例１６の空気入りタイヤは、乾燥路面での操縦安定性能および湿潤路面での操縦安定性能が改善されていることが分かる。
【符号の説明】
【００９２】
１  空気入りタイヤ
２  トレッド部
３  ショルダー部
４  サイドウォール部
５  ビード部
６  カーカス層
７  ベルト層
７ａ，７ｂ  ベルト
８  ベルト補強層
１０  接地面
１５  ビードコア
１６  ビードフィラー
２０  周方向溝
２１  外側センター溝
２２  内側センター溝
２３  外側ショルダー溝（周方向細溝）
２４  内側ショルダー溝
３０  陸部
３１  センター陸部
３２  外側ミドル陸部（第一側ミドル陸部）
３３  内側ミドル陸部
３４  外側ショルダー陸部
３５  内側ショルダー陸部
４１，４２，４３  サイプ
５１，５２，５３，５４，５５，５６  ラグ溝
ＣＬ  タイヤ赤道面
Ｈｃｃ  センター陸部の突出量
Ｈｃｉ  内側ミドル陸部の突出量
Ｈｃｏ  外側ミドル陸部の突出量
Ｈｓｉ    内側ショルダー陸部の突出量
Ｈｓｏ  外側ショルダー陸部の突出量
Ｐ１ｏ，Ｐ２ｏ  外側センター溝の溝開口端
Ｐ１ｉ，Ｐ２ｉ  内側センター溝の溝開口端
Ｐ３ｉ，Ｐ４ｉ  内側ショルダー溝の溝開口端
ＰＲｃｃ  センター陸部の基準プロファイル
ＰＲｃｏ  外側ミドル陸部の基準プロファイル
ＰＲｓｏ  外側ショルダー陸部の基準プロファイル
ＰＲｃｉ  内側ミドル陸部の基準プロファイル
ＰＲｓｉ  内側ショルダー陸部の基準プロファイル
Ｔ  接地端
Ｗｃｃ  センター陸部の陸部幅
Ｗｃｏ  外側ミドル陸部の陸部幅
Ｗｓｏ  外側ショルダー陸部の陸部幅
Ｗｃｉ  内側ミドル陸部の陸部幅
Ｗｓｉ  内側ショルダー陸部の陸部幅
【図１】
2020001660.tif 000003
【図２】
2020001660.tif 000004
【図３】
2020001660.tif 000005
【図４】
2020001660.tif 000006